(57)【要約】【課題】ドットインパクト式通帳印字プリンタ及び通帳印字機構において、作業時間の短縮・無駄の排除を行う。【解決手段】印字した通帳を定位置に置くための読取り台、印字内容を読み取るための画像認識機構、認識データを処理し規格値との照合及び補正値の算出、印字濃度の判定を行う制御部とからなる印字状態確認手段。この手段を用いて、作業者の力量による品質の差異や補正値の正確な算出により、補正値入力後の確認印字回数を１回で完了させ、作業時間の短縮・無駄の排除を行う。また、制御装置と対象となる印字装置を通信手段により接続し、上記手段で算出した補正値を自動で設定することも可能となり、これにより入力ミスの撲滅になる。さらに、印字装置内に上記手段の機構を盛り込むことにより、印字状態の自己修正、自己判定機構を持つ印字装置を可能とする。【選択図】  図１
2004160857.tif 000002
【特許請求の範囲】
【請求項１】
印字した通帳を定位置に置くための読取り台、印字内容を読み取るための画像認識機構、印字規格値データテーブルや印字濃度限度見本データを持ち、認識データを処理し照合及び補正値の算出、印字濃度の判定を行う制御部とからなる印字状態確認手段。
【請求項２】
前記制御部と対象となる印字装置を通信手段により接続し、前記手段で算出した補正値を自動で設定するを特徴とする印字状態確認調整手段。
【請求項３】
印字装置内に上記手段の機構を盛り込むことにより、印字状態の自己修正、自己判定機構を持つ通帳プリンタ及び通帳印字機構。
【発明の詳細な説明】
【０００１】
【発明の属する技術分野】
本発明は通帳に印字することを目的とするドットインパクト式通帳印字プリンタ及び通帳印字機構での印字位置ずれ補正方法及び印字濃度確認方法に関する。
【０００２】
【従来の技術】
銀行などの金融機関で使用される通帳は、各金融機関毎に大きさや印字位置等の使用が異なる。従来、通帳印字プリンタ及び通帳印字機構の生産工程にてテスト用の通帳にテストパターンを印字し、その結果を測定治工具で測定し、印字位置のずれ量を算出し、該プリンタ及び印字機構の制御部に補正値をインプットして調整を行っていた。また、印字濃度においても、印字結果を限度見本と目視にて比較し、合否判定をおこなっていた。
【０００３】
通帳取り扱い装置の印字ずれ補正方法が、下記の特許文献１に記載されている。この方法は、通帳にページマークを印字し、このページマークと通帳上端との距離を測定し、補正値を求めて通帳の膨らみなどの変形に対する印字開始位置のずれを補正し印字させるものである。
【０００４】
【特許文献１】
特開平１０−２９７０４１号公報
【０００５】
【発明が解決しようとする課題】
通帳プリンタ及び通帳印字機構生産時に発生する個々の固有の印字位置のずれや印字濃度の補正及び調整を行う必要がある。前記公知例は、通帳の膨らみなどの変形に対する印字開始位置のずれを補正するものであり、前記課題を解決するものではない。通帳プリンタ及び通帳印字機構生産工程では、装置組立後所定の用紙にテストパターンを印字させ、測定治具により目視でずれを確認し、補正値を設定したのち再度テストパターンを印字して所定の印字位置に入っていることを確認している。この作業を所定の印字位置に印字されるまで繰り返す。この補正値は測定治具にて測定した結果をその都度計算または、作業者の経験から設定値を決定している。これにより、作業者毎に補正度合いがことなり、製品品質のばらつきがでる。さらに調整回数にも差がでる。また、通帳を印字するプリンタ及び印字機構においては、納入先によりその対象通帳の大きさ、印字位置が異なり、測定治具も納入先毎に作成管理する必要がある。また、印字濃度を判別比較する限度見本も、作成及び維持管理に多大な労力を必要としている。
【０００６】
【課題を解決するための手段】
印字内容を読み取るための画像認識機構、各金融機関毎の印字位置規格値データ及び印字濃度限度データを保有し、画像認識機構からの認識処理データとの照合及び補正値の算出、印字濃度の判定を行う制御部を備え、作業者の力量による品質の差異のない正確な補正値を算出し、濃度判定を行う手段。また、該制御部とプリンタ及び印字機構を通信手段により接続し、算出した補正値を自動で設定する手段。さらに、印字装置内に上記の機構を盛り込むことにより、印字状態の自己修正、自己判定をおこなう手段。
【０００７】
【発明の実施の形態】
図２に本発明を実施するための概略構成を示し、図１に示す本発明の処理ステップの概略に沿って実施の形態について述べる。ステップＳ１で、通帳プリンタ及び通帳印字機構（以下製品と呼ぶ）の機構的組立が完了し、製品の型式や納入先に応じた動作プログラムが該製品内部の制御部にインストールされると、製品は印字動作が可能となる。ステップＳ２で製品の構造的ばらつきの補正や調整確認のために、納入先仕様に合せたテスト用通帳１にテストパターン６を印字する。ステップＳ３で、テストパターンを印字したテスト用通帳１を通帳置き台２の所定の位置にセットする。ステップＳ４で、通帳置き台２にセットされたテスト通帳１の印字状態を認識部３により、読み取る。ステップＳ５では、対象となる製品型式、納入先を指定し、制御部４にて認識部３で読み取られた印字状態データを処理し、あらかじめ設定、保存されている印字位置規格値データテーブルや印字濃度限度見本データと照合を行う。ステップＳ６で納入先の印字規格値との差異を照合した結果から、製品の型式毎に設定されている補正値算出計算式により、補正値を算出し、表示部５に表示する。ステップＳ７で表示部５に表示された補正値をもとに、作業者が製品毎に設定されている従い、補正値を入力する。ステップＳ８では、ステップＳ６と同時に印字濃度などの判定処理を行い、結果を表示部５に表示する。ここでは、印字濃度限度見本データと照合結果から、濃淡、ドット抜け、余分な打点などの不正印字の有無を表示する。ステップＳ９にて、表示された結果から印字ヘッドと通帳間の距離や機構部調整を行う。
【０００８】
図３にテストパターン６が印字されたテスト用通帳を示す。印字位置を確認する主な項目は、通帳左端面から印字行端面の距離Ａ１、その距離Ａ１の１行目と２行目の差と印字行の長さＡ２。また、通帳上端面から第１行目までの距離Ｂ１、１行目からページ間の空白を含めた最終行までの距離Ｂ２、行間Ｂ３である。これらの値を前記ステップ４で、通帳の幅Ａや長さＢとともに読取りを行う。
【０００９】
また、これらの数値は、納入先金融機関毎に通帳の大きさ、印字文字の大きさなど異なり、印字位置の規格値が異なる。そのため、図４に示すような規格値データテーブルを作成し、制御部４に持たせる。この規格値データテーブルを基に、前記の測定結果と照合するものである。
【００１０】
プリンタや印字機構は、通帳搬送機構であるローラの径や駆動させるモータの制御方式等により補正値の算出手段がその製品型式毎に異なり、補正値算出のための係数が設定されている。距離の差異を計測したのち、その型式毎に設定される係数により、補正値を算出する。このため規格値データテーブルには製品型式も登録しておく。
【００１１】
以上の手段では、印字位置の補正値を算出したあとの製品への補正値の設定は作業者が、設定することとしているが、制御部４と製品を通信手段により接続することで、製品の制御部に直接、自動で補正値を設定することが可能となる。
【００１２】
また、製品内部に認識部３や製品の制御部に前記処理機能を持たせることにより、生産時だけではなく、納入後の稼動時においての逐次補正が可能となり、さらに、印字濃度自己判断機能も付加されることになる。
【００１３】
【発明の効果】
以上のように、本発明によれば１度のテスト印字により、設定しなければならない印字位置補正値を正確に算出でき、作業者のスキルに依存することなく均一な印字品質が得られる。テスト印字を繰り返す必要がなくなり、作業時間の大幅な短縮とテスト通帳の使用量が大幅に抑えられる。
【００１４】
また、製品と直接通信手段で接続することにより、補正値の誤設定などの作業ミスが発生せず、作業効率の向上と確認作業の排除ができる。
【００１５】
さらに、本機構を製品に組み込むことにより、生産時での細かな補正値設定などが不要となり、印字状態の自己監視機能として利用することができ、信頼性の向上につながる。
【図面の簡単な説明】
【図１】本発明の処理ステップを示す図である。
【図２】本発明の印字状態確認手段を実施するための構成を示す図である。
【図３】テスト通帳にテストパターンを印字した一例と計測ポイント示す図である。
【図４】印字規格値データテーブルの例を示す図である。
【符号の説明】
１…テスト用通帳、２…通帳置き台、３…認識部、４…制御部、５…表示部、６…テスト印字パターン。
【図１】
2004160857.tif 000003
【図２】
2004160857.tif 000004
【図３】
2004160857.tif 000005
【図４】
2004160857.tif 000006